(57)【要約】【目的】ユーザが希望する任意の時間に視聴することが出来、また、ユーザも番組や感想を投稿することが出来る、ユーザ参加型であり、なおかつオンデマンドなワンセグ放送システムを提案する。【構成】送信される放送コンテンツを受信し、受信した放送コンテンツを表示装置に提示する手段を備えたワンセグ放送受信が可能な携帯端末を用いて、広告主や利用者が提供する動画や文字列を閲覧することが可能なユーザ参加型ワンセグ放送システムにおいて、狭域エリアの電波送信機毎に第1のラベルを付与する第1の分類手段と、広告主がネットワークを経由して第1の情報をサーバＡに蓄積する第1の情報蓄積手段と、利用者がネットワークを経由して第2の情報をサーバＢに蓄積する第2の情報蓄積手段から成るユーザ参加型ワンセグ放送システム。【選択図】図１
2010141484.tif 000002
【特許請求の範囲】
【請求項１】
広告主や施設運営者による映像もしくは文字の配信を第1の情報とし、利用者による映像もしくは文字の配信を第2の情報とした場合に、
送信された放送コンテンツを受信し、受信した放送コンテンツを表示装置に提示する手段を備えたワンセグ放送受信が可能な携帯端末を用いて、広告主や利用者が提供する動画や文字列を閲覧することが可能なユーザ参加型ワンセグ放送システムにおいて、
狭域エリアのワンセグ変調器毎に第1のラベルを付与する第1の分類手段と、
広告主や施設運勢者がネットワークを経由して第1の情報をサーバＡに蓄積する第1の情報蓄積手段と、
利用者がネットワークを経由して第2の情報をサーバＢに蓄積する第2の情報蓄積手段と、
前記第1の情報蓄積手段と前記第2の情報蓄積手段により蓄積された情報を送信先であるところの前記狭域エリア毎に分類し第2のラベルを付与する第2の分類手段と、
前記第2の分類手段によって分類された情報から放送コンテンツを生成する番組生成手段と、
前記第1のラベルおよび前記第2のラベルによって対象とするワンセグ変調器に目的とする番組をネットワークを経由して配信する番組配信手段と、
から成るユーザ参加型ワンセグ放送システム。
【請求項２】
前記サーバＡおよびサーバＢは、同一のコンピュータ装置であり、該コンピュータ装置と前記番組生成手段に用いるコンピュータ装置は、目的とする狭域エリアのワンセグ変調器にネットワークを用いて放送コンテンツを配信するために、任意の場所に設置できることを特徴とする、請求項１に記載のユーザ参加型ワンセグ放送システム。
【請求項３】
前記番組配信手段は、任意の狭域エリア内の番組閲覧者の要求に応じて番組を配信することを特徴とする、請求項１に記載のユーザ参加型ワンセグ放送システム。
【請求項４】
前記番組配信手段は、前記第2のラベルと一致する前記第１のラベルを検索し、該当する第1のラベルを持つワンセグ変調器に向けて放送することを特徴とする請求項１に記載のユーザ参加型ワンセグ放送システム。
【発明の詳細な説明】
【技術分野】
【０００１】
本発明は、放送閲覧者（ユーザ）から投稿されたコンテンツを放送番組として放送し、かつ放送送信者の目的に応じ放送拠点に適した番組を放送する、狭域向けワンセグ放送システムに関する。
【背景技術】
【０００２】
わが国では、１３のセグメント構造を持つ地上デジタル放送が既に開始されている。
【０００３】
地上デジタル放送では、１３のセグメントのうちの中央の１つのセグメントのみを部分受信することが可能であり、１セグメントデジタル放送、いわゆるワンセグ放送としてサービスが開始されている。
【０００４】
また、近年、地上デジタル放送の開始に伴って、自動車や携帯電話などの移動体にも地上デジタル放送用、あるいはワンセグ放送用の受信機が搭載されるようになってきている。地上デジタル放送、あるいはワンセグ放送では、映像および音声をデジタル放送によって放送する他に、ニュースや天気予報等といった付加情報をデータ放送によって放送できることから、これら付加情報を、カーナビゲーション装置等で利用するシステムが考えられている。
【０００５】
このようなシステムの１つとして、地上デジタル放送受信機、あるいはワンセグ放送で受信された施設に関する情報を装置に備えられた施設データベースから検索して、その所在地などを導き出す機能を有するシステムが開発されている。このシステムを用いれば、番組やコマーシャルメッセージで紹介された施設の詳細情報を取得したり、また、カーナビゲーションシステムに応用すれば、瞬時に目的地として設定することができる。
【０００６】
例えば、特許文献１は、放送受信機で施設名を受信し、施設名で施設を検索する施設情報報知装置およびナビゲーション装置を開示している。この特許文献１に開示された施設情報報知装置では、デジタルテレビジョン放送の所定チャンネルに多重されて放送される施設情報が、受信ユニットのアンテナにて受信され、復調部にてデジタルデータに復調され、映像データ・音声データ・検索データとしてナビゲーションユニットへ送られる。ナビゲーションユニットでは、これらのデータをメモリに格納しておき、施設情報中の検索データに基づき、設定された検索条件を満たす施設を検索する。そして、検索条件を満たす施設の映像および音声を、映像データおよび音声データに基づいて、ディスプレイおよびスピーカからそれぞれ出力する。
【０００７】
このように、地上デジタル放送、あるいはワンセグ放送において、映像情報と付加情報を用いる技術の進歩により、放送事業者と視聴者のそれぞれが利益を得るようなシステムが出現している。
【０００８】
また、特許文献２において、放送事業者用の免許が不要なほどの微弱電波を用いたローカル放送局によるデジタル放送を受信するシステムが提案されており、新たに追加されたローカル放送局を、視聴者が自動的に選局する手段が述べられている。
【特許文献１】特開２００２−４８５５６号公報
【特許文献２】特開２００８−２１９１１２号公報
【発明の開示】
【発明が解決しようとする課題】
【０００９】
しかるに、従来の放送では、情報の流れは放送送信者側からの一方向のみであり、一般ユーザが放送番組自体を作成する概念はない。また、その番組の放送時間にならなければ、その番組が見られないという大きな制約がある。
【００１０】
また、前記のように、施設情報を受信して閲覧した場合に、その施設を既に利用したことのある第三者の感想を知りたい時には、別途インターネット等を検索して調べるしか手段が無かった。
【００１１】
このように本発明は、ユーザが希望する任意の時間に視聴することが出来、また、ユーザも番組や感想を投稿することが出来る、ユーザ参加型であり、なおかつオンデマンドなワンセグ放送システムを提案するものである。
【課題を解決するための手段】
【００１２】
前記課題を解決するために、本発明は、
広告主や施設運営者による映像もしくは文字の配信を第1の情報とし、利用者による映像もしくは文字の配信を第2の情報とした場合に、
送信された放送コンテンツを受信し、受信した放送コンテンツを表示装置に提示する手段を備えたワンセグ放送受信が可能な携帯端末を用いて、広告主や利用者が提供する動画や文字列を閲覧することが可能なユーザ参加型ワンセグ放送システムにおいて、
狭域エリアのワンセグ変調器毎に第1のラベルを付与する第1の分類手段と、
広告主や施設運営者がネットワークを経由して第1の情報をサーバＡに蓄積する第1の情報蓄積手段と、
利用者がネットワークを経由して第2の情報をサーバＢに蓄積する第2の情報蓄積手段と、
前記第1の情報蓄積手段と前記第2の情報蓄積手段により蓄積された情報を送信先であるところの前記狭域エリア毎に分類し第2のラベルを付与する第2の分類手段と、
前記第2の分類手段によって分類された情報から放送コンテンツを生成する番組生成手段と、
前記第1のラベルおよび前記第2のラベルによって対象とするワンセグ変調器に目的とする番組をネットワークを経由して配信する番組配信手段と、
から成るユーザ参加型ワンセグ放送システムとする。
【００１３】
また、本発明は、前記サーバＡおよびサーバＢは、同一のコンピュータ装置であり、該コンピュータ装置と前記番組生成手段に用いるコンピュータ装置は、目的とする狭域エリアのワンセグ変調器にネットワークを用いて放送コンテンツを配信するために、任意の場所に設置できることを特徴とするユーザ参加型ワンセグ放送システムとする。
【００１４】
また、本発明は、前記番組配信手段は、任意の狭域エリア内の番組閲覧者の要求に応じて番組を配信することを特徴とするユーザ参加型ワンセグ放送システムとする。
【００１５】
また、本発明は、前記番組配信手段は、前記第2のラベルと一致する前記第１のラベルを検索し、該当する第1のラベルを持つワンセグ変調器に向けて放送することを特徴とするユーザ参加型ワンセグ放送システムとする。
【発明の効果】
【００１６】
本発明にかかるワンセグ放送システムによって、ユーザ自身も番組や感想を投稿することが出来、それを他の第三者が視聴することが可能となる。また、ユーザは希望する任意の時間にローカルな放送を視聴することが出来るようになる。このように、ユーザ参加型であり、なおかつオンデマンドなワンセグ放送システムの実現が可能となる。
【実施例】
【００１７】
以下に添付図面を参照して、この発明にかかる好適な実施の形態を詳細に説明する。
【００１８】
図１は本発明にかかる全体構成図である。ここで、情報を発信するユーザが用いる端末がＰＣ端末１０１および携帯電話１０３であり、情報を発信する施設・店舗などの運営者が用いる端末が操作端末１１３である。また、情報を受けるユーザが用いる端末がワンセグ受信機１４１である。このように、ユーザは情報の送受ができるものとする。
【００１９】
情報発信の順番は、操作端末１１３によって作成された情報Ａを閲覧したユーザが、ＰＣ端末１０１または携帯電話１０３を用いて情報Ａに対する感想や追加情報Ａ’をアップロードする情報経路Ｘと、新規にＰＣ端末１０１または携帯電話１０３を用いて情報Ｂをアップロードする情報経路Ｙがある。
【００２０】
情報経路Ｘの場合は、図２に示すように、番組編集サーバ１１５において情報Ａと情報Ａ’を併せて再送信し、ワンセグ受信機１４１で情報Ａおよび情報Ａ’を閲覧できる。
【００２１】
情報経路Ｙの場合は、図３に示すように、情報Ａを含んだ全ての情報の中から対象が情報Ｂと同一な情報Ｃがある場合は、番組編集サーバ１１５において情報Ｂと情報Ｃを併せて再送信し、ワンセグ受信機１４１で情報Ｂおよび情報Ｃを閲覧できる。また、情報Ａを含んだ全ての情報の中から対象が情報Ｂと同一な情報が存在しない場合は、ワンセグ受信機１４１で情報Ａのみ、またはその他を閲覧できる。
【００２２】
番組編集サーバ１１５は、ユーザ参加型ワンセグ放送システムを運営する組織が有する建造物内に設置され、番組素材変換処理部１１７、コンテンツオーサリング部１１９、番組素材データベース１２１、配信情報管理テーブル１２３、番組自動編成処理部１２５、多重化処理部１２７、再多重化処理部１２９、ＩＰ伝送処理部１３１から成る。
【００２３】
まず、情報経路Ｘに関して図１を用いて説明する。施設・店舗などの運営者は操作端末１１３を用いてネットワークを介してコンテンツオーサリング部１１９にアクセスする。オーサリング機能は、図４に示すように、例えば動画圧縮規格であるところのＨ．２６４への変換処理や、字幕の生成、ＢＭＬ（Ｂｒｏａｄｃａｓｔ  Ｍａｒｋｕｐ  Ｌａｎｇｕａｇｅ）によるデータ放送作成などを含んでいる。
【００２４】
コンテンツオーサリング部１１９の機能を用いて作成された番組素材は、番組素材データベース１２１に蓄積される。また、該番組素材が対象とする地域や店舗名等の情報は配信情報管理テーブル１２３に蓄積される。ここで、配信情報管理テーブルによる管理を第２の分類と呼び、分類されたデータに割り当てられるラベルを第２のラベルと呼ぶ。なお、データを蓄積する手段は任意のものであり、特定しない。
【００２５】
次に番組自動編成処理部１２５において、配信情報管理テーブル１２３に蓄積された地域や店舗名毎に、番組素材データベース１２１に蓄積された番組素材をグループ化し、どこにどの番組を配信するかを決定する。
【００２６】
次に多重化処理部127において、番組素材データベースに蓄積された映像、字幕、データ放送に関する素材データを放送拠点で放送する番組単位に多重化処理を行う。
【００２７】
次に再多重化処理部１２９において、テレビジョン方式のＴＳ信号を生成する。ＴＳ信号は一般的に、パケットの先頭を示す同期信号であるＴＳＳＹＮＣと、データの有効期間を示すＴＳＶＡＬＩＤと、ＴＳデータに同期したクロックであるＴＳＣＬＫと、パケットエラー信号であるＴＳＥＲＲＯＲと、ＴＳデータであるＴＳＤＡＴＡからなり、パケット単位でデータが送られるものである。ただし、該ＴＳ信号については任意のものであり、特定しない。
【００２８】
次に再多重化処理部１２９によって生成された放送ＴＳ信号を、ＩＰ伝送処理部１３１がＩＰ化し、ネットワーク１３３を介して、放送拠点エリア毎に設置されたワンセグ変調機１３７にＩＰ伝送する。
【００２９】
ここで、各放送拠点のエリア単位での分類を第1の分類と呼び、分類されたエリア単位を第1のラベルと呼ぶ。前記第2のラベルと該第1のラベルにより、放送拠点毎に必要な放送を配信することが可能となる。
【００３０】
次に、ワンセグ変調機１３７は、信号を受信するとワンセグ放送信号に変換し、アンテナ１３９から無線放射し、ユーザはワンセグ受信機１４１によって該無線放射されたテレビ放送を受信し、番組を閲覧する。伝送及び受信の形態は、ＩＰ伝送処理部１３１が放送拠点Ａから放送拠点Ｚの中から目的とするワンセグ変調機１３７を指定して伝送する場合と、多重化された放送波の中からワンセグ変調機１３７がデータを選択する場合が考えられるが、この手段については任意のものであり、特定しない。
【００３１】
施設や店舗運営者が作成した前記ワンセグ放送を放送Ａとする。次に放送Ａを受信したユーザは、ＰＣ端末１０１や携帯電話１０３を用いて、閲覧した放送に対する感想や追加情報などを、ネットワーク１０５を介してコンテンツ受付サーバ１０７に伝送する。これら放送Ａの閲覧者による新規の情報を放送Ｂとする。
【００３２】
コンテンツ受付サーバ１０７は、コンテンツ登録部１０９とユーザ投稿コンテンツ管理データベース１１１から成り、ユーザが送信したデータをコンテンツ登録部１０９が受信し、ユーザ投稿コンテンツ管理データベース１１１によって地域や店舗名、あるいはユーザが閲覧した番組名毎に分類する。
【００３３】
ここで、コンテンツ登録部１０９は、例えばＷＥＢ画面からの登録受付や電子メールでの受信が考えられるが、本発明はこれに限定するものではなく、ユーザは任意の手段で情報をコンテンツ登録部１０９に登録できるものとし、コンテンツ登録部の受付手段についても何ら限定するものではない。
【００３４】
次にデータが番組編集サーバ１１５に伝送され、番組素材変換処理部１１７によってコンテンツオーサリング部１１９と同様にＨ．２６４変換処理等がなされ、番組素材データベース１２１に格納される。また、該データが対象とする地域や店舗名や元の番組名が配信情報管理テーブル１２３に格納される。
【００３５】
次に番組自動編成処理部１２５によって、放送Ａと放送Ｂを併せて新しい番組を形成する。このような流れを経た後においては、ワンセグ受信機１４１が受信するワンセグ放送は、施設や店舗運営者が作成した放送Ａと、それを他のユーザが閲覧した際に追加した放送Ｂを併せたものとなる。従って、時間を経るにつれ、各放送拠点で放送される番組は内容が増え、充実したものとなる。
【００３６】
次に、情報経路Ｙについて図１を用いて説明する。情報経路Ｘとの違いは、情報経路Ｘが、放送Ａを閲覧したユーザによる追加情報であるところの放送Ｂを、放送Ａと併せてさらに他のユーザに放送するものであったが、情報経路Ｙは、ユーザによる放送Ｂが、放送Ａを見た感想や追加情報ではなく単独のものである、というところにある。
【００３７】
近年、動画撮影機能を持った携帯端末が増えており、ユーザが撮影した素材を番組に使える状況が増加している。また、情報を欲する側としても、施設や店舗を運営する側が発する情報よりも、ユーザによる客観的な情報が求められているという側面もある。
【００３８】
このように、ＰＣ端末１０１や携帯電話１０３により送信された素材データは放送Ａとは関係無い放送Ｂとして番組素材データベース１２１に蓄積される。次に番組自動編成処理部１２５によって、放送Ｂが対象とする施設や店舗に関して、既に施設や店舗の運営者が作成した放送Ａが番組素材データベース１２１に蓄積されていないかどうかを、配信情報管理テーブル１２３に蓄積された情報を元に比較調査を行う。
【００３９】
この概念図を図３に示す。施設や店舗の運営者による放送Ａの元となる情報Ａと、ユーザによる放送Ｂの元となる情報Ｂから、ワンセグ放送するにあたって対象が共通のものがあるかどうかを比較し、共通の対象であるところの情報Ｃを発見したら、情報Ｂと情報Ｃを併せてワンセグ放送とし、無ければ情報Ｂのみをワンセグ放送するものである。
【００４０】
また、ユーザから投稿される情報Ｂが、運営者の情報Aと必ずしも関連づけされない投稿情報であってもよい。例えば、ユーザからの投稿情報はカテゴリ毎に番組編集サーバ１１５に蓄積され、管理テーブル１２３に予め設定された放送拠点毎の配信カテゴリと比較し、一致した情報を番組編集サーバ１１５上で自動的に番組編成及びスケジュールを行い、放送拠点に配信することもできる。
【００４１】
放送画面の一例を図５に示す。同図は、ある観光スポットについてのワンセグ放送である。一例として上部に映像データを配置し、下部に文字データを配置している。ワンセグ受信機能を持った端末を持ったユーザは、該観光スポットにおいて、その施設や店舗の情報を映像と文字により閲覧することができる。
【００４２】
本発明によれば、この情報は施設や店舗の運営者が作成したものであったり、該観光スポットを利用したユーザが作成したものであったりする。また、例えばこの放送のデータ放送部に、感想アップロードのリンクを用意すれば、閲覧したユーザがさらに該観光スポットに関する新規の情報を番組編集サーバ１１５に送信でき、時間を追う毎に番組が拡充されていく。
【００４３】
なお、放送における映像部分やデータ放送部分に関して、ユーザによる情報が映像部分によって放送されるかデータ放送部分によって放送されるかは、本発明では限定しないものとし、この放送の映像部分に、ユーザが観光スポットで撮影した動画データを放送することもできる。
【００４４】
また、データ放送部に、番組放送リクエストのリンクを用意すれば、携帯端末のネットワーク接続機能により放送リクエスト信号１４３をネットワーク経由で番組編集サーバ１１５に伝送し、番組編集サーバ１１５がそれに応えることによって、ユーザは任意のタイミングで放送を最初から閲覧することができる。このように、オンデマンドなワンセグ放送も可能となる。
【００４５】
以上示したように、本発明は、放送拠点毎に、該放送拠点において求められる放送を送信し、その放送用素材は施設や店舗の運営者が作成したり、利用者が作成したりするものであり、放送素材は番組編集サーバに一括して蓄積し、ネットワークを用いて配信するものである。
【００４６】
各放送拠点のアンテナが送信する電波は、微弱電波であることや通常の放送波であることが考えられ、本発明においては該電波の強度をなんら限定するものではない。
【００４７】
本発明において、ユーザからの情報を文字情報に限定して説明した部分に関しても、情報の内容は文字に限定するものではない。例えば動画であったり、また例えば通信事業者によるアニメーションを使ったメイルサービスが扱う画像であってもよい。
【００４８】
本発明において、コンテンツオーサリング部１１９が持つ番組作成機能の内容は、前記の内容に限定するものではない。また、動画ファイルとしてＨ．２６４規格を用いて説明したが、これに限定するものではない。
【００４９】
本発明において、番組を作成する手段としてＰＣ端末１０１、携帯電話１０３、操作端末１１３に関して記述したが、これに限定するものではない。
【００５０】
本発明において、番組素材データベース１２１は施設や店舗等の運営者が作成する放送コンテンツと、その他の利用者が作成する放送コンテンツの両方を蓄積するよう記述したが、これに限定するものではない。例えば利用者の形態によって装置としてのデータベースが異なるものであってもよい。
【００５１】
本発明では、番組編集サーバから任意の放送拠点に放送データを到達させる手段を限定するものではない。例えば、あらかじめ放送拠点毎にＩＰアドレスを設定しておき、番組編集サーバ１１５が、対象とするＩＰアドレスを指定して放送データを送信する方法等も考えられる。
【００５２】
本発明において、オンデマンド機能を実現する手段として、放送リクエストを番組編集サーバ１１５に伝送するよう記述したが、これに限定するものではない。例えばワンセグ変調機１３７に番組蓄積手段を設置すれば、放送リクエストをワンセグ変調機１３７に伝送することにより、オンデマンド機能が実現できる。
【図面の簡単な説明】
【００５３】
【図１】全体構成図
【図２】情報経路Ｘ
【図３】情報経路Ｙ
【図４】コンテンツオーサリング部
【図５】放送の一例
【符号の説明】
【００５４】
１０１…ＰＣ端末、  １０３…携帯電話、
１０５…ネットワーク、  １０７…コンテンツ受付サーバ、
１０９…コンテンツ登録部、  １１１…ユーザ投稿コンテンツ管理データベース、
１１３…操作端末、  １１５…番組編集サーバ、
１１７…番組素材変換処理部、  １１９…コンテンツオーサリング部、
１２１…番組素材データベース、  １２３…配信情報管理テーブル、
１２５…番組自動構成処理部、  １２７…多重化処理部、
１２９…再多重化処理部、  １３１…ＩＰ伝送処理部、
１３３…ネットワーク、  １３５…放送拠点Ａ、
１３７…ワンセグ変調機、  １３９…アンテナ、
１４１…ワンセグ受信機、  １４３…放送リクエスト信号。
【図１】
2010141484.tif 000003
【図２】
2010141484.tif 000004
【図３】
2010141484.tif 000005
【図４】
2010141484.tif 000006
【図５】
2010141484.tif 000007